(57)【要約】      （修正有）【課題】複数のガイドワイヤールーメンを持つカテーテルの各ガイドワイヤールーメンに容易にガイドワイヤーを挿通する補助具を提供する。【解決手段】カテーテルの複数のガイドワイヤールーメンに対してガイドワイヤーを挿入するための補助具１０であって、一端領域１２から他端領域１３に対して直線的に延びるスリット２１，２３が設けられている治具本体１１を有しており、治具本体は、一端領域が高さ方向の厚みが厚く、他端領域が一端領域より厚みが薄くなるようにされていて、一端領域では、スリットの形成深さが深く、他端領域ではスリットの形成深さが浅くなるようにされ、他端領域のスリットは、カテーテルのカテーテルシースをスリットの延びる方向に沿って差し込む挿入案内溝とされ、カテーテルシースが一端領域まで差し込まれて、該一端領域におけるスリット出口においてガイドワイヤールーメンの端部が視認可能な状態で露出する構成。【選択図】図１
2020011075.tif 000002
【特許請求の範囲】
【請求項１】
カテーテルのガイドワイヤールーメンに対してガイドワイヤーを挿入するための補助具であって、
一端領域から他端領域に対して直線的に延びるスリットが設けられている治具本体を有しており、
前記治具本体は、前記一端領域が高さ方向の厚みが厚く、前記他端領域が前記一端領域より厚みが薄くなるようにされていて、
前記一端領域では、前記スリットの形成深さが深く、前記他端領域では前記スリットの形成深さが浅くなるようにされており、
前記他端領域の前記スリットは、前記カテーテルのカテーテルシースを前記スリットの延びる方向に沿って差し込む挿入案内溝とされ、
前記カテーテルシースが前記一端領域まで差し込まれて、該一端領域におけるスリット出口において前記カテーテルシースの端部が位置した際に前記スリット出口開口に前記ガイドワイヤールーメンの端部が視認可能な状態で露出する構成とした
ことを特徴とする補助具。
【請求項２】
前記治具本体の前記スリットの内径が前記カテーテルシースの外径よりもわずかに小さく構成されていることを特徴とする請求項１に記載の補助具。
【請求項３】
前記スリットの前記一端領域は、挿入された前記カテーテルシースを埋設して位置ずれしないようにされた保持部であることを特徴とする請求項２に記載の補助具。
【請求項４】
前記スリットの前記他端領域は、挿入されたカテーテルシースの一部が浅い前記スリットから露出されることにより、作業に際して、作業者が前記治具本体の前記他端領域と前記カテーテルシースの一部とを把持することができる構成とされていることを特徴とする請求項１ないし３のいずれかに記載した補助具。
【請求項５】
前記保持部の長さ方向の距離が、少なくとも前記複数のガイドワイヤールーメン間の離間距離より大きいことを特徴とする請求項１ないし４のいずれかに記載の補助具。
【請求項６】
前記保持部では、前記スリットの底部が広く、前記カテーテルシースを完全に包囲する形状とされていることを特徴とする請求項３ないし５のいずれかに記載の補助具。
【請求項７】
前記スリット出口開口は外方に向かって徐々に拡径されることにより、ガイドワイヤールーメンの視認を容易とする視認部が設けられていることを特徴とする請求項１ないし６のいずれかに記載の補助具。
【発明の詳細な説明】
【技術分野】
【０００１】
本発明は、複数のガイドワイヤールーメンを持つカテーテルの各ガイドワイヤールーメンに容易にガイドワイヤーを挿通することができる補助具に関するものである。
【背景技術】
【０００２】
カテーテルは患者の体内への薬液の注入や、体外への廃液を行ったりして、医療現場で広く使用されている。
このようなカテーテルの使用に当たっては、多くの場合、カテーテルを患者の身体内に導入する際にガイドワイヤーが使用されている。
ガイドワイヤーは、カテーテルよりも細く柔軟なために、患者の体内の血管等に入り込んで、体腔内の湾曲や屈折箇所などにおいて、より適切に追随することができる。このため、カテーテルに先行してガイドワイヤーを体内に送り込むことで、目的位置までより安全かつ容易に操作することができ、このガイドワイヤーを体内に留置した後で、このガイドワイヤーに沿うようにカテーテルを送り込んで使用するのが一般的である。
【０００３】
このように、カテーテル使用時にガイドワイヤーを利用する場合には、カテーテル先端にガイドワイヤーを通す必要がある。しかし、カテーテルは非常に細い管体であり、カテーテルにガイドワイヤーを通して治療準備することは簡単ではない。
そのため、本出願人は、以前に、カテーテル先端部を固定し、それに対して、ガイドワイヤーを対向させて挿入するような補助治具を提案している（特許文献１参照）。
【先行技術文献】
【特許文献】
【０００４】
【特許文献１】特許第３９０２９４４
【発明の概要】
【発明が解決しようとする課題】
【０００５】
この補助治具は、平板状の治具本体にカテーテル先端部の外形に沿った形状の溝を形成して、この溝内にカテーテル先端部を嵌合するものである。さらに、治具本体にはカテーテル形状の溝の先に細い案内溝が形成されていて、嵌合したカテーテル先端部と対向してガイドワイヤーを移動させ、細いカテーテル先端部の空孔（ルーメン）にガイドワイヤーを挿入する構成とされている。
【０００６】
しかしながら、最近では、例えば、カテーテル先端に光学素子や音響素子を用いた計測手段を備えるものが使用されており、そのため、カテーテル先端には、これらの素子による走査経路等を避けるようにして、所定の間隔を設け、ガイドワイヤーを通すためのガイドワイヤールーメンが二か所設けられたタイプのもの等が使用されている。
このようなカテーテルにおいては、従来の補助治具では、二か所のガイドワイヤールーメンに極細のガイドワイヤーを案内して挿入することができない。
【０００７】
本発明は、上記課題を解決するためになされたもので、複数のガイドワイヤールーメンを備えるカテーテルに適切にガイドワイヤーを案内することができ、容易に各ルーメンにガイドワイヤーを挿通させ、かつ治具からの取り外しも容易にできるガイドワイヤー挿入のための補助具を提供することを目的としている。
【課題を解決するための手段】
【０００８】
カテーテルのガイドワイヤールーメンに対してガイドワイヤーを挿入するための補助具であって、一端領域から他端領域に対して直線的に延びるスリットが設けられている治具本体を有しており、前記治具本体は、前記一端領域が高さ方向の厚みが厚く、前記他端領域が前記一端領域より厚みが薄くなるようにされていて、前記一端領域では、前記スリットの形成深さが深く、前記他端領域では前記スリットの形成深さが浅くなるようにされており、前記他端領域の前記スリットは、前記カテーテルのカテーテルシースを前記スリットの延びる方向に沿って差し込む挿入案内溝とされ、前記カテーテルシースが前記一端部まで差し込まれて、該一端部におけるスリット出口において前記カテーテルシースの端部が位置した際に前記スリット出口開口に前記ガイドワイヤールーメンの端部が視認可能な状態で露出する構成としたことを特徴とする。
【０００９】
上記構成によれば、補助具を配置したら、前記スリットの治具本体の他端領域の端部から、前記スリットにカテーテルシース側を向けて、該スリットに沿ってカテーテルを挿入することで、該カテーテルを補助具に簡単にセットすることができる。
このカテーテルを前記スリットのさらに奥まで押し込むと、前記スリット出口開口に、前記カテーテルに形成されている前記ガイドワイヤールーメンの端部から視認可能な状態で露出するので、前記治具本体の厚みの薄い前記他端領域を、溝から一部はみ出しているカテーテルとともに把持することができる。
そして、前記本端の一端領域を術者が見やすい位置に向けて、前記スリット出口開口に露出している前記ガイドワイヤールーメンの端部に対して、他方の手で持ったガイワイヤを通すことで、ガイドワイヤールーメン内に簡単に挿入できる。
続いて、そのままガイドワイヤールーメンを深く挿入すると、前記スリットに沿って案内されて、別のガイドワイヤールーメンに、さらにガイドワイヤーが挿入されるので、複数のガイドワイヤールーメンにガイドワイヤーを挿通する作業がきわめて容易となる。
【００１０】
好ましくは、 前記治具本体の前記スリットの内径が前記カテーテルシースの外径よりもわずかに小さく構成されていることを特徴とする。
上記構成によれば、前記スリット内でカテーテルシースはしっかり保持されるので、作業がきわめて容易となる。
【００１１】
好ましくは、 前記スリットの前記一端領域は、挿入された前記カテーテルシースを埋設して位置ずれしないようにされた保持部であることを特徴とする。
上記構成によれば、前記一端領域は十分な厚みがあるので、そこのスリットも深く形成できるので、カテーテルシース全体を十分に埋設でき、作業中にカテーテルシースをよりしっかり保持できる。
【００１２】
好ましくは、前記スリットの前記他端領域は、挿入されたカテーテルシースの一部が浅い前記スリットから露出していることにより、作業に際して作業者が前記治具本体の前記他端領域と前記カテーテルシースの一部とを把持することができる構成とされていることを特徴とする。
上記構成によれば、カテーテルシースと治具本体とを作業者の手でしっかり把持できるので、一層作業しやすい。
【００１３】
好ましくは、前記保持部の長さ方向の距離が、少なくとも前記複数のガイドワイヤールーメン間の離間距離より大きいことを特徴とする。
上記構成によれば、ガイドワイヤールーメンが途中で途切れる箇所の全長に亘って、カテーテルシースを、前記スリットが覆うことができるから、作業中にガイドワイヤーが位置ずれしてしまうことが無い。
【００１４】
好ましくは、前記保持部では、前記スリットの底部が広く、前記カテーテルシースを完全に包囲する形状とされていることを特徴とする。
上記構成によれば、前記スリットが形成する溝は奥側（下部）でカテーテルシースの外周をほぼ全体に亘って保持するから、作業中に軸周り方向に位置ずれすることなく、作業が精密かつ容易にできる。
【００１５】
好ましくは、前記スリット出口開口は外方に向かって徐々に拡径されることにより、ガイドワイヤールーメンの視認を容易とする視認部が設けられていることを特徴とする。
上記構成によれば、外部から見える形状の相違に基づいて、視認部の位置確認が容易である。
【発明の効果】
【００１６】
以上説明したように、本発明によれば、複数のガイドワイヤールーメンを備えるカテーテルに適切にガイドワイヤーを案内することができ、容易に各ルーメンにガイドワイヤーを挿通させ、かつ治具からの取り外しも容易にできるガイドワイヤー挿入のための補助具を提供することができる。
【図面の簡単な説明】
【００１７】
【図１】本発明の実施形態に係る補助具の他端領域から見た概略斜視図。
【図２】図１の補助具の概略側面図。
【図３】図１の補助具をＡ方向から見た図。
【図４】図１の補助具をＢ方向から見た図。
【図５】図１の補助具を使用する対象であるカテーテル先端部の断面構造例。
【図６】ガイドワイヤーの先端部の形状の一例。
【図７】図１の補助具を用いてガイドワイヤーの挿通作業を説明するための説明図。
【図８】図１の補助具を用いてガイドワイヤーの挿通作業を説明するための説明図。
【図９】図１の補助具を用いてガイドワイヤーの挿通作業を説明するための説明図。
【図１０】図１の補助具を用いてガイドワイヤーの挿通作業を説明するための説明図。
【発明を実施するための形態】
【００１８】
以下、本発明の好適な実施の形態について添付図面を参照して詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１９】
図１は本発明の実施形態に係るガイドワイヤーを挿入するための補助具（以下、「補助具」という。）の一例である。
図１および図２において、この補助具１０は、治具本体（以下、「本体」という。）１１と、本体１１の一端領域１２と、本端１１の他端領域１３を有しており、本体１１には、その中央部で幅方向のほぼ中央部に上部が開口した長い溝であるスリット２１が形成されている。案内部としてのスリット２１は一端領域１２から他端領域１３に対して、直線的に設けられている。
【００２０】
本体１１を構成する材料としては、変形の少ない硬質の材料による成形物が好ましくは、例えば、ポリプロピレンやそのオレフィン系高分子材料、ポリカーボネートポリエステル、ポリアミド等の高分子材料が挙げられるが、ステンレス鋼等の金属材料を用いることができる。
【００２１】
本体１１は、図１の場合は、ほぼ矩形の形態であり、長さは約２０ないし７０ｍｍ、好ましくは２５ないし６０ｍｍ，さらに好ましくは３０ないし５０ｍｍ程度である。本体１１の幅は１５から３５ｍｍ、好ましくは１５ないし３０ｍｍ、さらに好ましくは、８ないし２５ｍｍ程度である。
図２に示す一端領域１２の厚みＤ１は、少なくとも３ｍｍないし５ｍｍ程度必要である。他端領域１３の厚みＤ２は、少なくとも１ｍｍないし３ｍｍ程度必要である。
他端領域１３は、後述するように、ガイドワイヤー挿通時の把持部である。
また、好ましくは、本体１１の底面は平坦面としない。適宜粗面としたり、凹凸を設けたり、適当な大きさの突起を設ける。本実施形態では、本体１１の底面は円柱の一部のような構造を取っている。このように本体１１の底面を平面以外の構造とするのは、スリット（溝）を上向きに作業台等に置いた状態で、作業者が補助具の両端をつかみ易くするためである。
【００２２】
さらに、図１ないし図２から明らかなように、好ましくは一端領域１２から他端領域１３にかけてはなだらかな下降傾斜曲面１４，１４が形成されている。
また、後述するガイドワイヤーの挿入案内溝としてのスリット２１の上部開口は一端領域１２では、狭い開口（後述するカテーテルシースより細い寸法でなる。）２２と、他端領域１３では、２２よりも広い開口（後述するカテーテルシースが露出し得る寸法でなる。）２３とされている。
【００２３】
好ましくは、本体１１のスリット２３の符号２３ａはほぼテーパ状の開口縁が面取りされている。つまり、後述するガイドワイヤーの挿入案内口である。これに対して、反対側に位置するスリット２２のスリット出口開口は拡大開口とされて、後述するガイドワーヤールーメンの端部が視認できるように、露出するものである。
【００２４】
図３は、図１の補助具をＡ方向から見た図であり、図４は、図１の補助具をＢ方向から見た図である。
図３において一端領域１２に形成されたスリット２１は、上部スリット２１ａと下部スリット２１ｂを有し、上部スリット２１ａの幅Ｗ１は、図４の他端領域に形成されたスリット２３の幅Ｗ２よりも狭く作られている。
このため、図３において下部スリット２１ｂは上部が僅かに開口された管形であり、下部スリット２１ｂの断面はほぼ円形で、その内径は、後述するカテーテルのカテーテルシース外径よりも僅かに小さい。このため、後述するように、カテーテルシースは下部スリット２１ｂ内に挿入されると周囲から締め付けて、滑らないように固定保持できる。
【００２５】
このように、スリット２１の奥側である下部スリット２１ｂはカテーテルシース保持部としての役割を果たす。
この締付け効果を発揮する下部スリット２１ｂが形成されている距離は図１のＬ２であり、この距離Ｌ２は、好ましくは、後述するカテーテルにおける２つのガイドワイヤールーメン間の距離Ｌ１と同じか、これより長いことが好ましい。
【００２６】
さらに、一端領域端部においては、スリット２１の幅は端部に向かって徐々に拡開されている。このため、術者は、後述するカテーテルをスリット２１に挿入した際に、後述するように露出したガイドワイヤールーメンが視認しやすい。このように、作業中は、符号２１ｃの箇所は視認部２１ｃとなる。
図１の符号１５は、本体１１の表面にスリットに沿って挿入方向を指示するようなシンボルもしくは形状を利用した表示を設けている。この実施形態では、例えば矢印を一体に形成することで設けた挿入目印である。
挿入目印１５は、矢印に限られるものではなく、三角形等の他の形状や文字表現等であってもよい。
【００２７】
次に、本実施形態の補助具１０をより正確に理解するために、この補助具１０が使用されるカテーテルの一例について図３を参照して説明する。
図５はカテーテルの先端部を示す概略断面図である。
図において、カテーテル５０は、例えば、太さ１ｍｍ程度の非常に細いカテーテルシース（「チューブ」ともいう）６０内に複数のルーメンが形成されている。
カテーテルシース６０は、ガイドワイヤー５１に導かれて、治療や計測の目的で生体体腔等の生体内に挿入される。
【００２８】
図６は、ガイドワイヤーの先端部を拡大して示す図である。
ガイドワイヤー５１は図６に示されるように、カテーテルよりはるかに細い金属線である。ガイドワイヤー５１は、例えば、ステンレス鋼やニッケルーチタン等の線材で、０．０１８ないし０．０３６ｍｍ程度の極細の線材であるが、その先端付近は、体腔内で進路探索等に便利なように屈曲部５１ａを有している。
【００２９】
ここで、図５のカテーテル５０は、例えば、超音波カテーテルであって、カテーテルシース６０には、計測に用いる計測用ルーメン５３が形成されている。計測用ルーメンはカテーテルシース６０内の長さ方向に設けられた中空部分である。計測用ルーメン５３には、例えば超音波振動子を内蔵した検査波送受信部としての検査ヘッド５４と、検査ヘッド５４を計測用ルーメン５３内で所定距離移動させる駆動シャフト５７を有している。
検査ヘッド５４から患部に発射された超音波を受信することにより、超音波断層画像を得ることができるようになっている。
【００３０】
カテーテル５０には、ガイドワイヤー５１を挿通するために、カテーテルシースの先端側に配置された第１のガイドワイヤールーメン５５と、この第１のガイドワイヤールーメン５１と軸方向に所定距離Ｌ１だけ離れて第２のガイドワイヤールーメン５６が形成されている。カテーテル５０が複数、例えば２つのガイドワイヤールーメンを備えるようにしたのは以下の理由による。
すなわち、カテーテル５０では、検査ヘッド５４からの超音波を妨げるルーメンの形成を避けるために、ガイドワイヤールーメンを第１のガイドワイヤールーメン５１と第２のガイドワイヤールーメン５６とに分割したものである。
しかしながら、このような構造であると、ガイドワイヤー５１を、先ず第１のガイドワイヤールーメン５５に通した後で、カテーテルシース６０の外部に導出して、ガイドワイヤー５１を、ふたたび第２のガイドワイヤールーメン５６内に挿入しなくてはならない。ガイドワイヤールーメンの細さを考えると、この作業は非常に難しい。
特に図６に示すようにガイドワイヤー５１の先端部５１ａは湾曲しているのが通常であるから、第１のガイドワイヤールーメン５５を通ったとしても、その後ガイドワイヤーの線の屈曲部が上等に向いてしまうと、２つのガイドワイヤールーメン５５，５６に連続して挿通するのは困難を極める。
【００３１】
そこで、本実施形態の補助具１０を用いて、ガイドワイヤーを複数のガイドワイヤールーメンに挿入する方法を順次説明する。
図７を参照する。
先ず補助具１０の本体を図示するように配置したら、挿入目印１５に沿って、すなわち矢印Ｆ方向にそって、本体１の他端領域の図４で示した挿入案内口２３ａから図５で説明したカテーテル５０の先端部を強制的に挿入する。既に説明したとおり、スリットの下部は一部でカテーテルシース６０よりも僅かに小径であるから、この際には若干スリット２３，２１を拡げながら挿入される。ここで、図５と違うのは、まだガイドワイヤーが挿入されていない。
気を付けなければならないのは、挿入に際して、カテーテル５０の挿入時には、図５の姿勢、すなわちカテーテルシース６０を必ず下にして、スリット２２に挿入することである。上下方向を誤ると、適切にガイドワイヤーを挿入できないことに注意する。
このように方向を定めてカテーテル５０の先端部を挿入すると、図３で説明した下部スリット２１ｂにカテーテルシース６０を適切に通すことができる。
【００３２】
カテーテル５０をそのまま挿入方向に進めると、図８に示すように、カテーテルシースに形成されている第１ガイドワーヤールーメン５５の端部が、本体１１の一端領域１２の端部において、視認部２１ｃに現れる。
ついで、一方の手で他端領域１３を露出している第２ガイドワイヤールーメン５６を上から抑えるように把持する。そして、第１ガイドワイヤールーメン５５に図示するようにガイドワイヤー５１を挿入する。
【００３３】
ここで、注意を要するのは、ガイドワイヤー５１について、図６で示した上下の向きを反対にして、屈曲部５１ａを下方に向けて第１ガイドワイヤールーメン５５に挿入することである。これにより、ガイドワイヤー５１の屈曲部５１ａは上に向かわずに、案内される。
しかも、図８の状態では、カテーテルシース６０が一端領域の内部で、図３で説明したカテーテルシース保持部によって締付け保持されているから、位置ずれすることが無い。
そして、図８の状態でガイドワイヤー５１をスリット２１，２３を利用して直線的に挿入を進めるだけで、図５で説明した直線的に並んでいる第１ガイドワイヤールーメン５５と第２ガイドワイヤールーメン５６にきわめて容易に順次挿通される。
【００３４】
次に、図９に示されているように、ガイドワイヤー５１が挿通されたカテーテル５０を矢印Ｈ方向に移動させる。この時、スリット２１，２３の内部では、カテーテルシース６０は挿入時と反対方向に移動して、補助具１０から容易に抜き取られる。
【００３５】
続いて、図１０に示されているように、補助具１０には、もはや極端に細いガイドワイヤー５１だけが残されているから、矢印Ｊの方向に持ち上げる。これにより、細いガイドワイヤー５１は、スリット２１，２３からなんの障害もなく上方に移動して、補助具１０から容易に取り外すことができる。
【００３６】
以上述べたように、本実施形態によれば、複数のガイドワイヤールーメン５５，５６を備えるカテーテル５０に適切にガイドワイヤー５１を案内することができ、容易に各ルーメン５５，５６にガイドワイヤー５１を挿通させ、かつ取り外しも容易にできるガイドワイヤー挿入のための補助具１０を提供することができる。
【００３７】
しかも上述の実施形態では、治具本体１１のスリット２１の下部スリット２１ｂの内径がカテーテルシース６０の外径よりもわずかに小さく構成されているから、スリット２１内でカテーテルシース６０はしっかり保持されるので、ガイドワイヤー５１の挿入作業がきわめて容易となる。
すなわち、スリットの一端領域１２の部分は、挿入されたカテーテルシース６０を埋設して位置ずれしないようにされた保持部である。
【００３８】
また、スリットの他端領域部分１３は、挿入されたカテーテルシース６０の一部が浅いスリットから露出していることにより、図８で説明したように、作業に際して作業者が本体１１の他端領域１３とカテーテルシース６０の一部とを把持することができるので、
一層作業しやすい。
さらにまた、保持部の長さ方向の距離Ｌ１が、図５で示した複数のガイドワイヤールーメン間の離間距離Ｌ２より大きいので、ガイドワイヤールーメン５５，５６間で途切れる箇所の全長に亘って、カテーテルシース６０をスリットが覆うことができるから、作業中にガイドワイヤーが位置ずれしてしまうことが無い。
しかもこの場合、保持部２１ｂでは、スリットの底部が広く、カテーテルシース６０を完全に包囲する形状とされているから、スリットが形成する溝は奥側（下部）でカテーテルシース６０の外周をほぼ全体に亘って保持することで、作業中に軸周り方向に位置ずれすることなく、作業が精密かつ容易にできる。
【００３９】
ところで本発明は上記実施の形態に限定されるものではない。
補助具の外形は、本実施形態の図示のような長方形に限らず、正方形でもよく、長楕円、楕円形、あるいは四角形以外の多角形でもよい。
本発明の補助具が利用されるカテーテルは、２つのガイドワイヤールーメンを備える者に限らず、３つ以上のガイどワイヤールーメンを備えるものに使用することができる。また、カテーテルの小型化にともない、一つのガイドワイヤールーメンを備えるカテーテルにも使用することができる。
なお、上述の各実施形態、変形例の個別の構成は、必要により省略したり、説明しない他の構成と組み合わせたりしてもよい。
【符号の説明】
【００４０】
１０・・・補助具、１１・・・本体、１２・・・一端領域、１３・・・他端領域、２１，２３・・・スリット、５１・・・ガイドワイヤー、６０・・・・カテーテルシース（チューブ）
【図１】
2020011075.tif 000003
【図２】
2020011075.tif 000004
【図３】
2020011075.tif 000005
【図４】
2020011075.tif 000006
【図５】
2020011075.tif 000007
【図６】
2020011075.tif 000008
【図７】
2020011075.tif 000009
【図８】
2020011075.tif 000010
【図９】
2020011075.tif 000011
【図１０】
2020011075.tif 000012
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
カテーテルの第１のガイドワイヤールーメン及び該第１のガイドワイヤールーメンと軸方向に所定距離だけ離れて形成された第２のガイドワイヤールーメンに対してガイドワイヤーを挿入するための補助具であって、
一端領域から他端領域に対して直線的に延びるスリットが設けられている治具本体を有しており、
前記治具本体は、前記一端領域が高さ方向の厚みが厚く、前記他端領域が前記一端領域より厚みが薄くなるようにされていて、
前記一端領域では、前記スリットの形成深さが深く、前記他端領域では前記スリットの形成深さが浅くなるようにされており、
前記他端領域の前記スリットは、前記カテーテルのカテーテルシースを前記スリットの延びる方向に沿って差し込む挿入案内溝とされ、
前記スリットの前記一端領域は、前記カテーテルシースが前記一端領域まで差し込まれた際に、挿入された前記カテーテルシースを埋設して位置ずれしないようにされた保持部であり、前記スリットの前記他端領域は、挿入された前記カテーテルシースの一部が浅い前記スリットから露出されることにより、作業に際して、作業者が前記治具本体の前記他端領域と前記カテーテルシースの一部とを把持することができる構成とされていることを特徴とする補助具。
【請求項２】
前記治具本体の前記スリットの内径が前記カテーテルシースの外径よりもわずかに小さく構成されていることを特徴とする請求項１に記載の補助具。
【請求項３】
前記保持部の長さ方向の距離が、少なくとも前記第１のガイドワイヤールーメンと前記第２のガイドワイヤールーメンとの離間距離より大きいことを特徴とする請求項１又は２に記載の補助具。
【請求項４】
前記一端領域における前記スリットの出口開口は外方に向かって徐々に拡径されることにより、前記一端領域まで挿入された前記カテーテルシースの視認を容易とする視認部が設けられていることを特徴とする請求項１ないし３のいずれかに記載の補助具。
【手続補正２】
【補正対象書類名】明細書
【補正対象項目名】０００８
【補正方法】変更
【補正の内容】
【０００８】
カテーテルの第１のガイドワイヤールーメン及び該第１のガイドワイヤールーメンと軸方向に所定距離だけ離れて形成された第２のガイドワイヤールーメンに対してガイドワイヤーを挿入するための補助具であって、一端領域から他端領域に対して直線的に延びるスリットが設けられている治具本体を有しており、前記治具本体は、前記一端領域が高さ方向の厚みが厚く、前記他端領域が前記一端領域より厚みが薄くなるようにされていて、前記一端領域では、前記スリットの形成深さが深く、前記他端領域では前記スリットの形成深さが浅くなるようにされており、前記他端領域の前記スリットは、前記カテーテルのカテーテルシースを前記スリットの延びる方向に沿って差し込む挿入案内溝とされ、前記スリットの前記一端領域は、前記カテーテルシースが前記一端領域まで差し込まれた際に、挿入された前記カテーテルシースを埋設して位置ずれしないようにされた保持部であり、前記スリットの前記他端領域は、挿入された前記カテーテルシースの一部が浅い前記スリットから露出されることにより、作業に際して、作業者が前記治具本体の前記他端領域と前記カテーテルシースの一部とを把持することができる構成とされていることを特徴とする。
【手続補正３】
【補正対象書類名】明細書
【補正対象項目名】０００９
【補正方法】変更
【補正の内容】
【０００９】
上記構成によれば、補助具を配置したら、前記スリットの治具本体の他端領域の端部から、前記スリットにカテーテルシース側を向けて、該スリットに沿ってカテーテルを挿入することで、該カテーテルを補助具に簡単にセットすることができる。
このカテーテルを前記スリットのさらに奥まで押し込むと、前記スリット出口開口に、前記カテーテルに形成されている前記ガイドワイヤールーメンの端部から視認可能な状態で露出するので、前記治具本体の厚みの薄い前記他端領域を、溝から一部はみ出しているカテーテルとともに把持することができる。
そして、前記本端の一端領域を術者が見やすい位置に向けて、前記スリット出口開口に露出している前記ガイドワイヤールーメンの端部に対して、他方の手で持ったガイワイヤを通すことで、ガイドワイヤールーメン内に簡単に挿入できる。
続いて、そのままガイドワイヤールーメンを深く挿入すると、前記スリットに沿って案内されて、別のガイドワイヤールーメンに、さらにガイドワイヤーが挿入されるので、複数のガイドワイヤールーメンにガイドワイヤーを挿通する作業がきわめて容易となる。
上記構成によれば、前記一端領域は十分な厚みがあるので、そこのスリットも深く形成できるので、カテーテルシース全体を十分に埋設でき、作業中にカテーテルシースをよりしっかり保持できる。
上記構成によれば、カテーテルシースと治具本体とを作業者の手でしっかり把持できるので、一層作業しやすい。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
好ましくは、前記保持部の長さ方向の距離が、少なくとも前記第１のガイドワイヤールーメンと前記第２のガイドワイヤールーメンとの離間距離より大きいことを特徴とする。上記構成によれば、ガイドワイヤールーメンが途中で途切れる箇所の全長に亘って、カテーテルシースを、前記スリットが覆うことができるから、作業中にガイドワイヤーが位置ずれしてしまうことが無い。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
好ましくは、前記一端領域における前記スリットの出口開口は外方に向かって徐々に拡径されることにより、前記一端領域まで挿入された前記カテーテルシースの視認を容易とする視認部が設けられていることを特徴とする。
前記スリット出口開口は外方に向かって徐々に拡径されることにより、カテーテルシースの視認を容易とする視認部が設けられていることを特徴とする。